(57)【特許請求の範囲】
【請求項１】
複数のキャリアコンポーネントを備えるキャリアアグリゲーションを使用するワイヤレス通信のための装置であって、
ペイロードからコードワードの複数のインスタンスを生成するように構成されたプロセッサと、
伝送のために前記複数のキャリアコンポーネントへと前記コードワードの前記複数のインスタンスを変調するように構成された変調器と、
を備え、
前記プロセッサは、前記コードワードの前記複数のインスタンスのうちの少なくとも１つを前記複数のキャリアコンポーネントにわたってインターリーブするようにさらに構成され、前記変調器は、前記プロセッサによる前記インターリーブすることに従って前記コードワードの前記複数のインスタンスのうちの前記少なくとも１つを前記複数のキャリアコンポーネントへと変調するようにさらに構成されており、
前記コードワードの前記複数のインスタンスの各々が、前記ペイロードに関する異なる冗長情報を備えることを特徴とする
装置。
【請求項２】
前記コードワードの前記複数のインスタンスは、前記コードワードの複数のインスタンスを備え、前記変調器は、前記コードワードの前記複数のインスタンスの各々を前記複数のキャリアコンポーネントのうちの異なるキャリアコンポーネントへと変調するようにさらに構成されている、請求項１に記載の装置。
【請求項３】
前記コードワードの前記複数のインスタンスは、前記コードワードの複数の同一のインスタンスを備える、請求項１に記載の装置。
【請求項４】
前記複数のキャリアコンポーネントのアグリゲートされた帯域幅に相当する連続的な帯域幅を有する論理キャリアを備える仮想キャリア空間を前記プロセッサに提供するように構成されたリソースマネージャをさらに備える、請求項１に記載の装置。
【請求項５】
前記プロセッサは、前記コードワードの前記複数のインスタンスを前記論理キャリアへとマッピングするようにさらに構成されている、請求項４に記載の装置。
【請求項６】
前記リソースマネージャは、前記コードワードの前記複数のインスタンスを前記論理キャリアから前記複数のキャリアコンポーネントへとマッピングするようにさらに構成され、前記変調器は、前記マッピングすることに従って前記コードワードの前記複数のインスタンスを前記複数のキャリアコンポーネントへと変調するようにさらに構成されている、請求項５に記載の装置。
【請求項７】
複数のキャリアコンポーネントを備えるキャリアアグリゲーションを使用するワイヤレス通信のための装置であって、
ペイロードからコードワードの複数のインスタンスを生成するように構成されたプロセッサと、
前記複数のキャリアコンポーネントのアグリゲートされた帯域幅に相当する連続的な帯域幅を有する論理キャリアを備える仮想キャリア空間を前記プロセッサに提供するように構成されたリソースマネージャと、
を備えており、
ここにおいて、前記プロセッサは、伝送のために前記コードワードの前記複数のインスタンスを複数のキャリアコンポーネントの前記論理キャリアへとマッピングするようにさらに構成されており、
前記プロセッサは、前記コードワードの前記複数のインスタンスのうちの少なくとも１つを前記複数のキャリアコンポーネントにわたってインターリーブするようにさらに構成され、前記リソースマネージャは、前記プロセッサによる前記インターリーブすることに従って前記コードワードの前記少なくとも１つの複数のインスタンスの各々を前記複数のキャリアコンポーネントへとマッピングするようにさらに構成されており、
前記コードワードの前記複数のインスタンスの各々が、前記ペイロードに関する異なる冗長情報を備えることを特徴とする
装置。
【請求項８】
前記リソースマネージャによる前記マッピングすることに従って前記コードワードの前記複数のインスタンスを前記複数のキャリアコンポーネントへと変調するように構成された変調器をさらに備える、請求項７に記載の装置。
【請求項９】
前記コードワードの前記複数のインスタンスは、前記コードワードの複数のインスタンスを備え、前記リソースマネージャは、前記コードワードの前記複数のインスタンスの各々を前記複数のキャリアコンポーネントのうちの異なるキャリアコンポーネントへとマッピングするようにさらに構成されている、請求項７に記載の装置。
【請求項１０】
前記コードワードの前記複数のインスタンスは、前記コードワードの複数のインスタンスを備え、前記コードワードの前記複数のインスタンスの各々は、同一である、請求項７に記載の装置。
【請求項１１】
コードを備えている非一時的なコンピュータ可読媒体であって、前記コードは、少なくとも１つのプロセッサによって実行されたときに、
ペイロードからコードワードの複数のインスタンスを生成することと、
伝送のために複数のキャリアコンポーネントへと前記コードワードの前記複数のインスタンスを変調することと、
前記コードワードの前記複数のインスタンスのうちの少なくとも１つを前記複数のキャリアコンポーネントにわたってインターリーブすることと、
前記インターリーブすることに従って前記コードワードの前記複数のインスタンスのうちの前記少なくとも１つを前記複数のキャリアコンポーネントへと変調することと
を前記少なくとも１つのプロセッサに実行させ、
前記コードワードの前記複数のインスタンスの各々が、前記ペイロードに関する異なる冗長情報を備えることを特徴とする
コンピュータ可読媒体。
【請求項１２】
前記コードワードの前記複数のインスタンスは、前記コードワードの複数のインスタンスを備え、
前記コードは、前記コードワードの前記複数のインスタンスの各々を前記複数のキャリアコンポーネントのうちの異なるキャリアコンポーネントへと変調することを、前記少なくとも１つのプロセッサにさらに実行させる、または
前記コードワードの前記複数のインスタンスが、前記コードワードの複数の同一のインスタンスを備える、
請求項１１に記載のコンピュータ可読媒体。
【請求項１３】
前記複数のキャリアコンポーネントのアグリゲートされた帯域幅に相当する連続的な帯域幅を有する論理キャリアを備える仮想キャリア空間を提供することを前記少なくとも１つのプロセッサに実行させるコードをさらに備える、請求項１１に記載のコンピュータ可読媒体。
【請求項１４】
前記コードワードの前記複数のインスタンスを前記論理キャリアへとマッピングすることを前記少なくとも１つのプロセッサに実行させるコードをさらに備える、請求項１３に記載のコンピュータ可読媒体。
【請求項１５】
前記コードワードの前記複数のインスタンスを前記論理キャリアから前記複数のキャリアコンポーネントへとマッピングすることを前記少なくとも１つのプロセッサに実行させるコードをさらに備え、前記マッピングに従って前記コードワードの前記複数のインスタンスを前記複数のキャリアコンポーネントへと変調することを前記少なくとも１つのプロセッサに実行させるコードをさらに備えている、請求項１４に記載のコンピュータ可読媒体。
【発明の詳細な説明】
【関連出願】
【０００１】
[0001]本出願は、「超高信頼度（ＶＨＲ）通信をサポートするためのワイヤレスデバイスアーキテクチャ(WIRELESS DEVICE ARCHITECTURE TO SUPPORT VERY-HIGH-RELIABILITY (VHR) COMMUNICATION)」という名称の２０１５年９月２１日に出願された米国仮出願第６２／２２１，５３４号、および「超高信頼度（ＶＨＲ）通信をサポートするためのワイヤレスデバイスアーキテクチャ(WIRELESS DEVICE ARCHITECTURE TO SUPPORT VERY-HIGH-RELIABILITY (VHR) COMMUNICATION)」という名称の２０１６年３月２５日に出願された米国特許出願第１５／０８１，７７３号に対する優先権を主張し、それは、これら全体が参照によって本明細書に明確に組み込まれる。
【技術分野】
【０００２】
[0002]本開示は、一般に、電気通信に関し、特に、通信ネットワークにおけるワイヤレスデバイスによる通信に関する。
【背景技術】
【０００３】
[0003]ワイヤレス通信システムが、電話、ビデオ、データ、メッセージング、および放送、などの種々の電気通信サービスを提供するために広く展開されている。典型的なワイヤレス通信システムは、利用可能なシステムリソース（例えば、帯域幅、送信電力、など）を共有することによって複数のユーザとの通信をサポートすることができる多元接続技術を採用し得る。このような多元接続技術の例は、符号分割多元接続（ＣＤＭＡ）システム、時分割多元接続（ＴＤＭＡ）システム、周波数分割多元接続（ＦＤＭＡ）システム、直交周波数分割多元接続（ＯＦＤＭＡ）システム、単一キャリア周波数分割多元接続（ＳＣ−ＦＤＭＡ）システム、および時分割同期符号分割多元接続（ＴＤ−ＳＣＤＭＡ）システムを含む。
【０００４】
[0004]これらの多元接続技術は、さまざまなワイヤレスデバイスが地方、国家、地域、ならびに世界のレベルにおいて通信することを可能にする共通のプロトコルを提供するために、種々の電気通信規格において採用されている。新興の電気通信規格の一例が、ロング・ターム・エボリューション（ＬＴＥ（登録商標））である。ＬＴＥは、第３世代パートナーシッププロジェクト（３ＧＰＰ（登録商標））によって公表されたユニバーサル移動体通信システム（ＵＭＴＳ）モバイル規格の改良のセットである。ＬＴＥは、ダウンリンク（ＤＬ）におけるＯＦＤＭＡ、アップリンク（ＵＬ）におけるＳＣ−ＦＤＭＡ、および多入力多出力（ＭＩＭＯ）アンテナ技術を使用し、スペクトル効率の改善、コストの削減、サービスの改善、新たなスペクトルの利用、および他のオープン規格とのより良好な統合によって、モバイル・ブロードバンド・インターネット・アクセスをより良好にサポートするように設計されている。
【０００５】
[0005]既存のワイヤレスデバイスは、デバイスがより高い帯域幅を使用して他のデバイスと通信できるようにするために、複数のアンテナ、モデム、およびプロセッサを使用する。ワイヤレス設計の改善は、伝送されるデータの信頼度およびエンドツーエンドの伝送のレイテンシの両方の改善を必要とする。これらの問題に基づき、利用可能なリソースを確実に使用してデータ伝送の速度を増加させるためのワイヤレスデバイスの改良が、必要とされている。好ましくは、解決策は、通信制御または誤り訂正において新たなレベルの複雑さを追加することなく、データ速度を増加させる。
【発明の概要】
【０００６】
[0006]複数のキャリアコンポーネントを備えるキャリアアグリゲーションを使用するワイヤレス通信のための装置の一態様が開示される。この装置は、ペイロードからコードワードの１つ以上のインスタンスを生成するように構成されたプロセッサを含み得る。この装置は、伝送のために複数のキャリアコンポーネントへとコードワードの１つ以上のインスタンスを変調するように構成された変調器も含み得る。一態様において、この装置は、複数のキャリアコンポーネントのアグリゲートされた帯域幅に相当する連続的な帯域幅を有する論理キャリアを備える仮想キャリア空間をプロセッサに提供するように構成されたリソースマネージャも含み得る。一態様において、プロセッサは、コードワードのインスタンスのうちの少なくとも１つを複数のコンポーネントキャリアにわたってインターリーブするようにさらに構成され得る。一態様において、変調器は、プロセッサによるインターリーブすることに従ってコードワードの少なくとも１つのインスタンスを複数のキャリアコンポーネントへと変調するようにさらに構成され得る。
【０００７】
[0007]複数のキャリアコンポーネントを備えるキャリアアグリゲーションを使用するワイヤレス通信のための装置の一態様が開示される。この装置は、ペイロードからコードワードの１つ以上のインスタンスを生成するように構成されたプロセッサを含み得る。この装置は、複数のキャリアコンポーネントのアグリゲートされた帯域幅に相当する連続的な帯域幅を有する論理キャリアを備える仮想キャリア空間をプロセッサに提供するように構成されたリソースマネージャも含み得る。一態様において、プロセッサは、コードワードの１つ以上のインスタンスを論理キャリアへとマッピングするようにさらに構成され得る。一態様において、この装置は、リソースマネージャによるマッピングすることに従ってコードワードの１つ以上のインスタンスを複数のキャリアコンポーネントへと変調するように構成された変調器も含み得る。一態様において、プロセッサは、コードワードのインスタンスのうちの少なくとも１つを複数のコンポーネントキャリアにわたってインターリーブするようにさらに構成され得る。一態様において、変調器は、プロセッサによるインターリーブすることに従ってコードワードの少なくとも１つのインスタンスを複数のキャリアコンポーネントへと変調するようにさらに構成され得る。
【０００８】
[0008]装置および方法の他の態様が、以下の詳細な説明から当業者にとって容易に明らかになり、ここにおいて、装置および方法の種々の態様が、例示として図示および説明されることが、理解されるべきである。理解されるとおり、これらの態様は、他の異なる形態で実施され得、このいくつかの詳細は、種々の他の事項において変更が可能である。したがって、図面および詳細な説明は、本質的に例示とみなされるべきであり、限定とみなされるべきではない。
【０００９】
[0009]次に、装置および方法の種々の態様が、添付の図面を参照して、あくまでも本発明を限定するものではない例として、詳細な説明に提示される。
【図面の簡単な説明】
【００１０】
【図１】[0010]図１は、アクセスネットワークの典型的な実施形態を示す概念図である。
【図２Ａ】[0011]図２Ａは、連続キャリアアグリゲーション（ＣＡ）型の通信チャネルの典型的な実施形態を示す図である。
【図２Ｂ】[0012]図２Ｂは、非連続ＣＡ型の通信チャネルの典型的な実施形態を示す図である。
【図３】[0013]図３は、ユーザ機器（ＵＥ）と通信する基地局であって、基地局とＵＥとの間の超高信頼度（ＶＨＲ）通信を実現するための１つ以上のコンポーネントを含んでいる基地局を含む典型的な通信ネットワークを示すブロック図である。
【図４】[0014]図４は、基地局と通信するＵＥであって、ＵＥと基地局との間のＶＨＲ通信を実現するための１つ以上のコンポーネントを含んでいるＵＥを含む典型的な通信ネットワークを示すブロック図である。
【図５】[0015]図５は、複数のキャリアコンポーネントによる伝送のためのメッセージを生成するための処理システムを含む典型的な送信ワイヤレスデバイスを示すブロック図である。
【図６】[0016]図６は、複数のキャリアコンポーネントによる伝送のためのコードワードを生成する送信ワイヤレスデバイスの一例を示す概念図である。
【詳細な説明】
【００１１】
[0017]種々の概念が、添付の図面を参照して以下でさらに充分に説明される。しかしながら、これらの概念は、当業者によって多数の異なる形態で具現化され得、本明細書に提示されるいかなる特定の構造または機能にも限定されると解釈されるべきではない。むしろ、これらの概念は、本開示が徹底的かつ完全なものとなり、当業者にこれらの概念の技術的範囲を充分に伝えるように、提供されている。詳細な説明は、具体的な詳細を含み得る。しかしながら、これらの概念が、これらの具体的な詳細によらずに実施され得ることは、当業者にとって明らかであろう。いくつかの例において、周知の構造およびコンポーネントは、本開示の全体を通して提示される種々の概念を不明瞭にすることを避けるために、ブロック図の形式で示されている。
【００１２】
[0018]用語「典型的」は、本明細書において、「例、事例、または例示として役立つ」を意味して用いられる。「典型的」または「例示的」として本明細書に記載された実施形態は、必ずしも他の実施形態よりも好ましい、または有利であると解釈されるべきではない。同様に、装置または方法の「実施形態」という用語は、本発明のすべての実施形態が記載されたコンポーネント、構造、特徴、機能、プロセス、利点、利益、または動作モードを含むことを必要としない。
【００１３】
[0019]これらの概念は、種々の装置および方法に関連して提示される。これらの装置および方法は、ブロック、モジュール、コンポーネント、回路、ステップ、処理、アルゴリズム、などを備える種々の要素によって、以下の詳細な説明において説明され、添付の図面に示される。これらの要素またはこれらの一部は、単独あるいは他の要素および／または機能との組み合わせにおいて、電子ハードウェア、コンピュータソフトウェア、またはそれらの任意の組み合わせを使用して実現され得る。このような要素がハードウェアとして実現されるか、あるいはソフトウェアとして実現されるかは、特定の用途およびシステム全体に課される設計上の制約事項に依存する。
【００１４】
[0020]例えば、要素、または要素のいずれかの部分、あるいは要素の何らかの組み合わせは、１つ以上のプロセッサを含む「コントローラ」で実現され得る。プロセッサは、汎用のプロセッサ、デジタル信号プロセッサ（ＤＳＰ）、特定用途向け集積回路（ＡＳＩＣ）、フィールド・プログラマブル・ゲート・アレイ（ＦＰＧＡ）または他のプログラマブルな論理コンポーネント、ディスクリートなゲートまたはトランジスタ論理、ディスクリートなハードウェアコンポーネント、またはこれらの任意の組み合わせ、あるいは本明細書に記載の機能を実行するように設計された任意の他の適切なコンポーネントを含み得る。プロセッサの例は、マイクロコントローラ、ＲＩＳＣプロセッサ、ＡＲＭプロセッサ、システムオンチップ（ＳＯＣ）、ベースバンドプロセッサ、プログラマブル論理デバイス（ＰＬＤ）、ゲート論理、ディスクリートなハードウェア回路、および本開示の全体を通して記載の種々の機能を実行するように構成された他の適切なハードウェアを含む。汎用のプロセッサは、マイクロプロセッサであり得るが、代案においては、プロセッサは、任意の従来のプロセッサ、コントローラ、マイクロコントローラ、または状態機械であり得る。プロセッサは、例えばＤＳＰとマイクロプロセッサとの組み合わせ、複数のマイクロプロセッサ、ＤＳＰコアと併せた１つ以上のマイクロプロセッサ、または任意の他のこのような構成など、コンピューティングコンポーネントの組み合わせとしても実現され得る。
【００１５】
[0021]コントローラ内の１つ以上のプロセッサが、ソフトウェアを実行し得る。ソフトウェアは、ソフトウェア、ファームウェア、ミドルウェア、マイクロコード、またはハードウェア記述言語のいずれとして言及されても、あるいは他のやり方で言及されても、インストラクション、インストラクションセット、コード、コードセグメント、プログラムコード、プログラム、サブプログラム、ソフトウェアモジュール、アプリケーション、ソフトウェアアプリケーション、ソフトウェアパッケージ、ルーチン、サブルーチン、オブジェクト、実行ファイル、実行スレッド、プロシージャ、機能、などを意味するものと広く解釈されるべきである。ソフトウェアは、一時的または非一時的なコンピュータ可読媒体上に存在し得る。非一時的なコンピュータ可読媒体は、例として、磁気記憶装置（例えば、ハードディスク、フロッピー（登録商標）ディスク、磁気片）、光ディスク（例えば、コンパクトディスク（ＣＤ）、デジタル多用途ディスク（ＤＶＤ））、スマートカード、フラッシュメモリデバイス（例えば、カード、スティック、キードライブ）、ランダム・アクセス・メモリ（ＲＡＭ）、スタティックＲＡＭ（ＳＲＡＭ）、ダイナミックＲＡＭ（ＤＲＡＭ）、シンクロナスダイナミックＲＡＭ（ＳＤＲＡＭ）、ダブルデータレートＲＡＭ（ＤＤＲＡＭ）、読み出し専用メモリ（ＲＯＭ）、プログラマブルＲＯＭ（ＰＲＯＭ）、消去可能ＰＲＯＭ（ＥＰＲＯＭ）、電気的に消去可能なＰＲＯＭ（ＥＥＰＲＯＭ（登録商標））、汎用レジスタ、またはソフトウェアを記憶するための任意の他の適切な非一時的媒体を含み得る。
【００１６】
[0022]コントローラ内の種々の相互接続は、バスまたは単一の信号ラインとして示され得る。バスの各々は、代わりに単一の信号ラインであり得、単一の信号ラインの各々は、代わりにバスであり得、単一のラインまたはバスは、要素間の通信のための無数の物理的または論理的機構の任意の１つ以上を表し得る。本明細書で説明される種々のバスを介して提供される信号のいずれも、他の信号と時間多重化され、１つ以上の共通バスを介して提供され得る。
【００１７】
[0023]一態様において、本開示は、超高信頼度（ＶＨＲ）通信をサポートするワイヤレスデバイスアーキテクチャを提供する。例えば、送信デバイスは、より高い速度および信頼度を使用するキャリアアグリゲーション（ＣＡ）などのワイヤレス伝送方法の実現を可能にするために、マルチリンクシグナリング、クロスキャリアインターリービング、ならびにリソースブロックおよび／またはリソース要素グループ（ＲＢ／ＲＥＧ）の仮想化の組み合わせを採用し得る。一態様において、送信機は、ビットのデータペイロードを受信し得、データペイロードの複数のコードワードを生成するために処理システムを使用し得、コードワードを複数のキャリアコンポーネントにわたってインターリーブし得る。クロスキャリアインターリービングとは、信号の信頼度およびダイバーシティを改善するために、コードワードのインスタンスが、複数のキャリアコンポーネントにわたって分配され、複数のキャリアコンポーネントを介して送信され得るプロセスを指す。この技術の一例として、送信機は、送信機によって使用される複数のキャリアコンポーネントに相当する仮想キャリア空間を提供するようにリソースマネージャを使用し得る。リソースマネージャは、送信機が複数のキャリアコンポーネントを使用してコードワードを送信できるように、コードワードを仮想キャリア空間および／または複数のキャリアコンポーネントへと変調するように構成され得る。この送信機のアーキテクチャは、より高いダイバーシティを有する広帯域のリソースの使用を可能にし、それは、受信機に対する信号信頼度を改善する。クロスキャリアインターリービングのより詳細な説明は、以下で図４〜図６を参照して提供される。一態様において、受信機は、送信機が使用したシグナリング、符号化、インターリービング、および／またはキャリアモード技術を決定でき、元のデータペイロードを抽出するように、受信したコードワードを復号し得る。
【００１８】
[0024]図１が、ワイヤレスネットワークアーキテクチャにおけるアクセスネットワーク１００の典型的な実施形態を示す概念図である。例えば、アクセスネットワーク１００は、４Ｇ  ＬＴＥ規格に基づくネットワークであり得、例えば、デバイス間の通信においてより高い信頼度、セキュリティ、速度、および／またはより低いレイテンシを必要とする５Ｇ規格に基づくネットワークであり得る（例えば、エンドツーエンドのレイテンシが１ｍｓ未満であるユーザ機器からエンドポイントへの１〜１０Ｇｂｐｓの接続）。
【００１９】
[0025]例示の実施形態において、アクセスネットワーク１００は、いくつかのセルラー領域（セル）１０２に分割される。１つ以上のより低い電力クラス(lower power class)のｅＮｏｄｅ  Ｂｓ（ｅＮＢｓ）１０８が、セル１０２のうちの１つ以上と重複するセルラー領域１１０を有することができる。より低い電力クラスのｅＮＢ１０８は、フェムトセル（例えば、ホームｅＮＢまたはＨｅＮＢ）、ピコセル、マイクロセル、またはリモート無線ヘッド（ＲＲＨ）であり得る。マクロｅＮＢ１０４の各々が、それぞれのセル１０２に割り当てられ、セル１０２内のすべてのワイヤレスデバイス１０６のためにエボルブド・パケット・コア（ＥＰＣ）へのアクセスポイントを提供するように構成される。アクセスネットワーク１００のこの例においては、中央集中コントローラが存在しないが、代案の構成においては、中央集中コントローラが使用され得る。ｅＮＢ１０４は、無線ベアラー制御、アドミッション制御、モビリティ制御、スケジューリング、セキュリティ、およびサービングゲートウェイおよび／または無線ネットワークコントローラ（ＲＮＣ）への接続を含むすべての無線関連機能を担当する。ｅＮＢは、１つまたは複数（例えば、３つ）のセル（セクタとも称される）をサポートすることができる。用語「セル」は、ｅＮＢの最小のカバレッジエリアを指すことができ、かつ／またはｅＮＢサブシステムのサービング(serving)は、特定のカバレッジエリアである。さらに、用語「ｅＮＢ」、「基地局」、および「セル」は、本明細書においては交換可能に使用されることができる。
【００２０】
[0026]アクセスネットワーク１００によって用いられる変調および多元接続の方式は、展開されている特定の電気通信規格に依存して変化することができる。ＬＴＥアプリケーションにおいては、周波数分割複信（ＦＤＤ）および時分割複信（ＴＤＤ）の両方をサポートするように、ＤＬにおいて直交周波数分割多重化（ＯＦＤＭ）が使用され、ＵＬにおいてＳＣ−ＦＤＭＡが使用される。当業者であれば以下の詳細な説明から容易に理解できるとおり、本明細書に提示される種々の概念は、ＬＴＥアプリケーションによく適している。しかしながら、これらの概念は、他の変調および多元接続技術を採用する他の電気通信規格に容易に拡張され得る。
【００２１】
[0027]例として、これらの概念は、エボリューション・データ・オプティマイズド（ＥＶ−ＤＯ）またはウルトラ・モバイル・ブロードバンド（ＵＭＢ）に拡張され得る。ＥＶ−ＤＯおよびＵＭＢは、第３世代パートナーシッププロジェクト２（３ＧＰＰ２）によってＣＤＭＡ２０００ファミリーの規格の一部として公表された電波インターフェイス規格であり、移動局にブロードバンド・インターネット・アクセスを提供するようにＣＤＭＡを用いる。これらの概念は、広帯域ＣＤＭＡ（Ｗ−ＣＤＭＡ（登録商標））およびＴＤ−ＳＣＤＭＡなどのＣＤＭＡの他の変形を用いるユニバーサル地上波無線アクセス（ＵＴＲＡ）、ＴＤＭＡを用いるグローバル・システム・フォー・モバイル・コミュニケーションズ（ＧＳＭ（登録商標））、ならびにＯＦＤＭＡを用いるエボルブドＵＴＲＡ（Ｅ−ＵＴＲＡ）、ＩＥＥＥ  ５０２．１１（Ｗｉ−Ｆｉ）、ＩＥＥＥ  ５０２．１６（ＷｉＭＡＸ）、ＩＥＥＥ  ５０２．２０、およびフラッシュＯＦＤＭにも拡張されることができる。ＵＴＲＡ、Ｅ−ＵＴＲＡ、ＵＭＴＳ、ＬＴＥ、５Ｇ、およびＧＳＭは、３ＧＰＰ団体からの文書において説明されている。ＣＤＭＡ２０００およびＵＭＢは、３ＧＰＰ２団体からの文書において説明されている。用いられる実際のワイヤレス通信規格および多元接続技術は、特定の用途およびシステムに課された全体的な設計の制約に依存すると考えられる。
【００２２】
[0028]ｅＮＢ１０４は、ＭＩＭＯ技術をサポートする複数のアンテナを有することができる。ＭＩＭＯ技術の使用は、ｅＮＢ１０４が、空間多重化、ビームフォーミング、および送信ダイバーシティをサポートするように空間ドメインを利用することを可能にする。空間多重化は、同じ周波数において同時に異なるデータストリームを送信するために使用されることができる。データストリームは、データレートを増加させるために単一のワイヤレスデバイス１０６へと送信されることができ、あるいはシステム全体の容量を大きくするために複数のワイヤレスデバイス１０６へと送信されることができる。これは、各々のデータストリームを空間的にプリコーディング(spatially precoding)（すなわち、振幅および位相のスケーリングを適用）し、次いで空間的にプリコーディングされた各々のストリームをＤＬにおいて複数の送信アンテナを通じて送信することによって達成される。空間的にプリコーディングされたデータストリームが、異なる空間シグネチャ(spatial signature)を有して（１つまたは複数の）ワイヤレスデバイス２０６に到達し、それは、各々のワイヤレスデバイス２０６が、このＵＥ２０６に向けられた１つ以上のデータストリームを復元することを可能にする。ＵＬにおいては、各々のワイヤレスデバイス２０６が、空間的にプリコーディングされたデータストリームを送信し、それは、ｅＮＢ２０４が、空間的にプリコーディングされた各々のデータストリームのソースを識別することを可能にする。
【００２３】
[0029]空間多重化は、一般的に、チャネル条件が良好なときに使用される。チャネル条件があまり良好でないとき、送信エネルギを１つ以上の方向に集中させるために、ビームフォーミングが使用され得る。これは、複数のアンテナを通した送信のためにデータを空間的にプリコーディングすることによって達成されることができる。セルのエッジにおける良好なカバレッジを達成するために、単一ストリームのビームフォーミング送信は、送信ダイバーシティと組み合わせて使用されることができる。
【００２４】
[0030]以下の詳細な説明においては、アクセスネットワークの種々の態様が、ＤＬにおいてＯＦＤＭをサポートするＭＩＭＯシステムに関連して説明される。ＯＦＤＭは、ＯＦＤＭシンボル内のいくつかのサブキャリアにわたってデータを変調するスペクトル拡散技法である。サブキャリアは、間隔を開けて精密な周波数に位置している。間隔は、受信機がサブキャリアからのデータを復元することを可能にする「直交性」を提供する。時間ドメインにおいて、ＯＦＤＭシンボル間干渉に対抗するために、ガードインターバル（例えば、サイクリックプリフィクス）は、各々のＯＦＤＭシンボルに追加されることができる。ＵＬは、高いピーク対平均電力比(peak-to-average power ratio)（ＰＡＰＲ）を補償するために、ＤＦＴ拡散ＯＦＤＭ信号の形態のＳＣ−ＦＤＭＡを使用することができる。
【００２５】
[0031]図２Ａが、連続キャリアアグリゲーション（ＣＡ）型の通信チャネルの典型的な実施形態を示す図である。図２Ｂが、非連続ＣＡ型の通信チャネルの典型的な実施形態を示す図である。
【００２６】
[0032]ワイヤレスデバイス（例えば、図１のワイヤレスデバイス１０６）は、各方向の伝送に使用される合計１００ＭＨｚ（例えば、５つのキャリアコンポーネントを使用する）までのキャリアアグリゲーション（ＣＡ）に割り当てられた２０ＭＨｚまでの帯域幅のスペクトルを使用することができる。一般に、アップリンクにおいては伝送されるトラフィックがダウンリンクと比べて少ないため、アップリンクのスペクトルの割り当ては、ダウンリンクの割り当てよりも小さくされ得る。例えば、２０ＭＨｚがアップリンクに割り当てられる場合、ダウンリンクには１００ＭＨｚが割り当てられ得る。これらの非対称なＦＤＤの割り当ては、スペクトルを節約し、ブロードバンド加入者による典型的には非対称な帯域幅の利用に適している。
【００２７】
[0033]２種類のキャリアアグリゲーション法、すなわち図２００（図２Ａ）に示されるとおりの連続ＣＡ、および図２５０（図２Ｂ）に示されるとおりの非連続ＣＡが、ワイヤレスデバイス１０６および／またはｅＮＢ１０４によって使用され得る。非連続ＣＡは、複数の利用可能なキャリアコンポーネント（ＣＣ）が周波数帯において離れているときに生じる（図２Ｂ）。一方で、連続ＣＡは、複数の利用可能なコンポーネントキャリアが互いに隣接しているときに生じる（図２Ａ）。非連続ＣＡおよび連続ＣＡのどちらも、単一のワイヤレスデバイスに使用するようにコンポーネントキャリアをアグリゲートする。一態様において、ワイヤレスデバイス１０６などのワイヤレスデバイスは、複数のコンポーネントキャリアを同時伝送に使用し得る。一態様において、ワイヤレスデバイス１０６は、それがコンポーネントキャリアのうちの１つだけを使用するとき、単一キャリアモードであり得る。
【００２８】
[0034]一態様においては、非連続ＣＡにおいて、コンポーネントキャリアが周波数帯において離れているため、複数のＲＦ受信ユニットおよび複数の高速フーリエ変換（ＦＦＴ）（それはワイヤレスデバイスのＲＦフロントエンドに含まれ得る）は展開されることができる。非連続ＣＡは、広い周波数範囲にわたる複数の離れたコンポーネントキャリアによるデータ伝送をサポートするがゆえ、伝搬経路損失、ドップラーシフト、および他の無線チャネル特性が、異なる周波数帯において大きく変化する可能性がある。したがって、非連続ＣＡの手法のもとで広帯域のデータ伝送をサポートするために、異なるコンポーネントキャリアについてコーディング、変調、および送信電力を適応的に調整するように方法は使用されることができる。例えば、ｅＮＢにおいて各々のコンポーネントキャリアにおける送信電力が固定されている場合、各々のコンポーネントキャリアの有効なカバレッジあるいはサポート可能な変調およびコーディングが、異なる可能性がある。
【００２９】
[0035]図３が、ユーザ機器（ＵＥ）と通信する基地局であって、基地局とＵＥとの間の超高信頼度（ＶＨＲ）通信を実現するための１つ以上のコンポーネントを含んでいる基地局を含む典型的な通信ネットワークを示すブロック図である。ワイヤレス通信システム３００が、少なくとも１つのネットワークエンティティ１０４（例えば、基地局またはｅＮＢ）の通信カバレッジ内の少なくとも１つのＵＥ１０６を含む。例えば、ＵＥ１０６は、ネットワークエンティティ１０４を介し、随意により無線ネットワークコントローラ（ＲＮＣ）１０５（ネットワークエンティティ１０４がｅＮＢであるときなど）を介して、ネットワーク１０７と通信することができる。
【００３０】
[0036]一態様において、ＵＥ１０６は、ネットワークエンティティ１０４から１つ以上のメッセージ１３０を受信し得るワイヤレスデバイスであり得る。一態様において、ＵＥ１０６がネットワークエンティティ１０４から複数のメッセージ１３０を受信するとき、ＵＥ１０６は、ネットワークエンティティ１０４によって使用される複数のコンポーネントキャリアによって同時に複数のメッセージ１３０を受信し得る。
【００３１】
[0037]いくつかの態様において、ＵＥ１０６は、当業者によって（さらには、本明細書において交換可能に）、移動局、加入者局、モバイルユニット、加入者ユニット、ワイヤレスユニット、リモートユニット、モバイルデバイス、ワイヤレスデバイス、ワイヤレス通信デバイス、リモートデバイス、移動加入者局、アクセス端末、モバイル端末、ワイヤレス端末、リモート端末、ハンドセット、端末、ユーザエージェント、モバイルクライアント、クライアント、または何らかの他の適切な用語でも呼ばれ得る。ＵＥ１０６は、携帯電話機、スマートフォン、タブレットコンピュータ、携帯情報端末（ＰＤＡ）、ワイヤレスモデム、ワイヤレス通信デバイス、ハンドヘルドデバイス、タブレットコンピュータ、ラップトップ・コンピュータ、コードレスフォン、ワイヤレス・ローカル・ループ（ＷＬＬ）局、グローバル・ポジショニング・システム（ＧＰＳ）デバイス、マルチメディアデバイス、ビデオデバイス、デジタルオーディオプレイヤ（例えば、ＭＰ３プレイヤ）、カメラ、ゲーム機、ウェアラブル・コンピューティング・デバイス（例えば、スマートウォッチ、スマート眼鏡、健康またはフィットネス記録器、など）、電化製品、センサ、車両通信システム、医療デバイス、自動販売機、インターネット・オブ・シングス（ＩｏＴ）のためのデバイス、あるいは任意の他の同様の機能デバイスであり得る。
【００３２】
[0038]ＵＥ１０６とネットワークエンティティ１０４との間のワイヤレス通信３０は、ネットワークエンティティ１０４またはＵＥ１０６のいずれかによって送信される信号を含み得る。ワイヤレス通信３０は、ネットワークエンティティ１０４によって送信されるダウンリンクチャネルを含むことができる。例えば、ネットワークエンティティ１４は、高速ダウンリンク共有チャネル（ＨＳ−ＤＳＣＨ）、高速物理ダウンリンク共有チャネル（ＨＳ−ＰＤＳＣＨ）、ダウンリンク専用物理制御チャネル（ＤＬ−ＤＰＣＣＨ）、またはフラクショナル専用物理チャネル（Ｆ−ＤＰＣＨ）において送信を行い得る。別の態様において、ワイヤレス通信３０は、ＵＥ１０６によって送信されるアップリンクチャネルを含むことができる。例えば、ＵＥ１０６は、高速アップリンク共有チャネル（ＨＳ−ＵＳＣＨ）、高速物理アップリンク共有チャネル（ＨＳ−ＰＵＳＣＨ）、アップリンク専用物理制御チャネル（ＵＬ−ＤＰＣＣＨ）、または物理ランダムアクセスチャネル（ＰＲＡＣＨ）において送信を行い得る。
【００３３】
[0039]一態様において、ネットワークエンティティ１０４は、ＵＭＴＳワイヤレスネットワークにおけるノードＢあるいはＬＴＥまたは５ＧベースのワイヤレスネットワークにおけるｅＮｏｄｅＢなどの基地局であり得る。いくつかの態様において、ＵＥ１０６を含む複数のＵＥは、ネットワークエンティティ１０４を含む１つ以上のネットワークエンティティとの通信カバレッジ内にあり得る。一例において、ＵＥ１０６は、ワイヤレス通信３０をネットワークエンティティ１０４へと送信し得、かつ／あるいはネットワークエンティティ１０４から受信し得る。一態様において、ネットワークエンティティ１０４は、例えばキャリア２１１〜２１３、２６１〜２６３（図２）などの複数のキャリアによる複数のキャリアコンポーネントを使用してＵＥ１０６へとメッセージ１３０を送信するためにリソースマネージャ３３３を使用し得る処理システム３０３を含み得る。換言すると、リソースマネージャ３３３は、複数のメッセージ１３０を使用してデータペイロードを符号化し、変調し、送信するように動作し得る。別の態様において、ネットワークエンティティ１０４は、メッセージに含まれるデータペイロードを取り出すように複数のキャリアコンポーネントを介してＵＥ１０６からの複数のメッセージを受信し、メッセージの結合および復号を行うように処理システム３０３を使用し、随意によりリソースマネージャ３３３を使用し得る。
【００３４】
[0040]一態様において、以下でさらに詳細に説明されるように、ネットワークエンティティ１０４は、ＵＥ１０６へと同時送信によってメッセージ１３０を送信し得る。一態様において、ネットワークエンティティ１０４は、データペイロードから複数のコードワードを生成するようにリソースマネージャ３３３を使用し得る。一態様において、ネットワークエンティティ１０４は、ネットワークエンティティ１０４によって使用される複数のキャリアコンポーネントにわたってコードワードをインターリーブするようにリソースマネージャ３３３を使用し得る。ネットワークエンティティ１０４は、コードワードを複数のキャリアコンポーネントへと多重化し、メッセージ１３０を関連する複数のキャリアにて同時にＵＥ１０６へと送信し得る。別の態様において、ネットワークエンティティ１０４は、（１つまたは複数の）アンテナ３０２およびＲＦフロントエンド３０４を介してＵＥ１０６から同時に受信される複数のメッセージを受信し得、メッセージに含まれるデータペイロードを取り出すためにメッセージの結合および復号を行うように復調器３０６および／または処理システム３０３を使用し得る。
【００３５】
[0041]いくつかの態様において、ネットワークエンティティ１０４は、当業者によって（さらには、本明細書において交換可能に）、マクロセル、ピコセル、フェムトセル、リレー、ノードＢ、モバイルノードＢ、ノードＢ、ＵＥ（例えば、ピアツーピアまたはアドホックモードでＵＥ１０６と通信する）とも呼ばれ得、あるいはＵＥ１０６におけるワイヤレスネットワークアクセスを提供するためにＵＥ１０６と通信することができる実質的に任意の種類のコンポーネントであり得る。ネットワークエンティティ１０４は、１つ以上のアンテナ３０２、ＲＦフロントエンド３０４、変調器／復調器３０６、および処理システム３０３を含み得る。
【００３６】
[0042]一態様において、処理システム３０３は、１つ以上のプロセッサ３３１、リソースマネージャ３３３、マルチリンクエンコーダ３３４、メモリ３３５、およびモデム３３７を含むことができる。一態様においては、リソースマネージャ３３３および／またはマルチリンクエンコーダ３３４のためのコンピュータ実行可能コードが、メモリ３３５に含まれ得る一方で、リソースマネージャ３３３および／またはマルチリンクエンコーダ３３４に関連する種々の機能が、モデム３３７および／またはプロセッサ３３１に含まれ得る。一態様においては、単一のプロセッサが、リソースマネージャ３３３および／またはマルチリンクエンコーダ３３４の機能を実行できる一方で、他の態様においては、機能のうちの異なる機能が、２つ以上の異なるプロセッサの組み合わせによって実行され得る。例えば、１つ以上のプロセッサ３３１は、モデムプロセッサ、ベースバンドプロセッサ、デジタル信号プロセッサ、送信プロセッサ、特定用途向け集積回路（ＡＳＩＣ）、または変調器／復調器３０６に関連するトランシーバプロセッサの任意の１つまたは任意の組み合わせを含み得る。特に、１つ以上のプロセッサ３３１は、リソースマネージャ３３３および／またはマルチリンクエンコーダ３３４に含まれ、あるいはリソースマネージャ３３３および／またはマルチリンクエンコーダ３３４によって制御される動作および／またはコンポーネントを実行するために、メモリ３３５とともに動作し得る。
【００３７】
[0043]一態様において、さらに詳細に説明されるように、ネットワークエンティティ１０４は、変調器３０６が複数のキャリアコンポーネントを用いて同時に複数のメッセージを送信できるように、データペイロードについて１つ以上のエンコーディング技法を実行するためにリソースマネージャ３３３および／またはマルチリンクエンコーダ３３４の１つ以上の態様を実行するように処理システム３０３を使用し得る。一態様において、リソースマネージャ３３３は、データペイロードに関するコードワードの複数のインスタンスを生成するようにマルチリンクエンコーダ３３４の１つ以上のコンポーネントを制御し得る（例えば、「マルチコードワードインスタンス化」）。さらに、一態様において、リソースマネージャ３３３はまた、生成されたコードワードを複数のキャリアコンポーネントにわたってインターリーブするようにマルチリンクエンコーダ３３４の１つ以上のコンポーネントを制御し得る。さらに、一態様において、リソースマネージャ３３３はまた、生成されたコードワードが、仮想リソースブロック内のそれらのロケーションに基づいて異なるキャリアコンポーネントへとマッピングされるように、利用可能なキャリアコンポーネントの組み合わせを単一の仮想キャリアとして表す仮想リソースブロックを提供するようにマルチリンクエンコーダ３３４の１つ以上の態様を制御し得る。
【００３８】
[0044]一態様において、ネットワークエンティティ１０４の処理システム３０３は、ここにおいて使用されるデータ（例えば、データペイロード、コードワードのインスタンス）、および／またはアプリケーションのローカルバージョン、ならびに／あるいはリソースマネージャ３３３およびマルチリンクエンコーダ３３４ならびに／あるいは（１つまたは複数の）プロセッサ３３１によって実行されるこれらのサブコンポーネントのうちの１つ以上を記憶するためのメモリ３３５を含み得る。メモリ３３５は、ランダム・アクセス・メモリ（ＲＡＭ）、読み出し専用メモリ（ＲＯＭ）、半導体メモリ、テープ、磁気ディスク、光ディスク、揮発メモリ、不揮発メモリ、およびこれらの任意の組み合わせなど、コンピュータまたはプロセッサ３３１による使用が可能な任意の種類のコンピュータ可読媒体を含むことができる。
【００３９】
[0045]一態様において、例えば、メモリ３３５は、リソースマネージャ３３３および／またはマルチリンクエンコーダ３３４ならびに／あるいはそれらのサブコンポーネントのうちの１つ以上を定義する１つ以上のコンピュータ実行可能コード、および／またはそれに関連するデータを記憶する非一時的なコンピュータ可読記憶媒体であり得る。このような場合、ネットワークエンティティ１０４は、リソースマネージャ３３３、マルチリンクエンコーダ３３４、および／またはそれらのサブコンポーネントのうちの１つ以上の１つ以上の機能を実行するように、処理システム３０３のプロセッサ３３１を動作させ得る。
【００４０】
[0046]一態様において、モデム３３７は、マルチバンド−マルチモードモデムであってよく、それは、デジタルデータが変調器／復調器３０６を使用して送信および受信されるように、デジタルデータを処理し、変調器／復調器３０６と通信することができる。一態様において、モデム３３７は、マルチバンドであってよく、特定の通信プロトコルのために複数の周波数帯（例えば、複数のキャリアコンポーネント）をサポートするように構成されてよい。一態様において、モデム３３７は、マルチモードであってよく、複数の動作ネットワークおよび通信プロトコルをサポートするように構成されてよい。一態様において、モデム３３７は、指定されたモデムの構成に基づくＵＥ１０６との信号の送信および／または受信を可能にするように、ネットワークエンティティ１０４の１つ以上のコンポーネント（例えば、ＲＦフロントエンド３０４、変調器／復調器３０６）を制御することができる。一態様において、モデムの構成は、モデム３３７のモードおよび使用中の（１つまたは複数の）周波数帯に基づくことができる。
【００４１】
[0047]さらに、一態様において、ネットワークエンティティ１０４は、例えばワイヤレス通信３０などの無線伝送を受信および送信するためのＲＦフロントエンド３０４および変調器／復調器３０６を含み得る。一態様において、変調器／復調器３０６は、ＲＦフロントエンド３０４および（１つまたは複数の）アンテナ３０２を介したＵＥ１０６への送信のために処理システム３０３によってそれにもたらされるメッセージを変調するように構成され得る。一態様において、変調器／復調器３０６は、ＵＥ１０６から（１つまたは複数の）アンテナ３０２およびＲＦフロントエンド３０４を介して受信したメッセージを復調し、これらのメッセージを処理システム３０３へと送るように構成され得る。一態様において、変調器／復調器３０６は、ワイヤレス信号を送信するように構成された送信機と、（１つまたは複数の）アンテナ３０２およびＲＦフロントエンド３０４を通してワイヤレス信号を受信するように構成された受信機とを含むトランシーバを含み得る。一態様において、変調器／復調器３０６のトランシーバは、ネットワークエンティティ１０４が例えばＵＥ１０６と通信できるように、指定された周波数で動作するように調整され得る。一態様においては、例えば、モデム３３７が、ネットワークエンティティ１０４のネットワーク設定およびモデム３３７によって使用される（１つまたは複数の）通信プロトコルに基づいて、指定された周波数および電力レベルで動作するように変調器／復調器３０６のトランシーバを設定することができる。
【００４２】
[0048]ＲＦフロントエンド３０４は、１つ以上のアンテナ３０２へと接続され得、ワイヤレス通信３０を介したＲＦ信号の送信および受信のために１つ以上の低ノイズ増幅器（ＬＮＡ）３４１、１つ以上のスイッチ３４２、３４３、３４６、１つ以上の電力増幅器（ＰＡ）３４５、および１つ以上のフィルタ３４４を含むことができる。一態様において、ＲＦフロントエンド３０４のコンポーネントは、変調器／復調器３０６と接続することができる。変調器／復調器３０６は、処理システム３０３内の１つ以上のモデム３３７および（１つまたは複数の）プロセッサ３３１に接続し得る。ＬＮＡ３４１は、受信信号を所望の出力レベルで増幅できる。各々のＬＮＡ３４１は、所定の最小および最大ゲイン値を有し得る。一態様において、ＲＦフロントエンド３０４は、特定の用途のための所望のゲイン値に基づいて特定のＬＮＡ３４１およびこれの指定されたゲイン値を選択するために、１つ以上のスイッチ３４２、３４３を使用し得る。
【００４３】
[0049]さらに、例えば、１つ以上のＰＡ３４５が、所望の出力電力レベルでＲＦ出力のために信号を増幅するためにＲＦフロントエンド３０４によって使用され得る。一態様において、各々のＰＡ３４５は、指定された最小および最大ゲイン値を有し得る。ＲＦフロントエンド３０４は、特定の用途のための所望のゲイン値に基づいて特定のＰＡ３４５およびこれの指定されたゲイン値を選択するために、１つ以上のスイッチ３４３、３４６を使用し得る。また、例えば、１つ以上のフィルタ３４４は、受信信号をフィルタ処理して入力ＲＦ信号を得るためにＲＦフロントエンド３０４によって使用されることができる。同様に、例えば、それぞれのフィルタ３４４は、それぞれのＰＡ３４５からの出力をフィルタ処理して送信のための出力信号を生み出すために使用されることができる。各々のフィルタ３４４は、特定のＬＮＡ３４１および／またはＰＡ３４５へと接続されることができる。ＲＦフロントエンド４０４は、変調器／復調器３０６および／または処理システム３０３によって指定されるとおりの設定に基づいて指定されたフィルタ３４４、ＬＮＡ３４１、および／またはＰＡ３４５を使用する送信または受信経路を選択するために、１つ以上のスイッチ３４２、３４３、３４６を使用することができる。
【００４４】
[0050]図４は、基地局と通信するＵＥであって、ＵＥと基地局との間のＶＨＲ通信を実現するための１つ以上のコンポーネントを含んでいるＵＥを含む典型的な通信ネットワークを示すブロック図である。ワイヤレス通信システム４００は、ワイヤレス通信システム３００と同様であり、またＵＥ１０６を含む。ワイヤレス通信システム４００は、また複数のネットワークエンティティ（ＮＥ）１０４ａ〜ｃを含み得、随意により複数の無線ネットワークコントローラ（ＲＮＣ）１０５ａ〜ｃ、パケットデータネットワーク（ＰＤＮ）１４７、サービング一般パケット無線サービス（ＧＰＲＳ）サポートノード（ＳＧＳＮ）／サービングゲートウェイ（ＳＧＷ）１４５、メディアゲートウェイ（ＭＧＷ）／ＳＧＷ１４６、および公衆交換電話網（ＰＳＴＮ）１４８を含み得る。
【００４５】
[0051]一態様において、ＵＥ１０６は、複数のキャリアコンポーネントを介して１つ以上のネットワークエンティティ１０４ａ〜ｃへとメッセージ１４０を送信するように構成され得る。一態様においては、単一の基地局（例えば、ＮＥ１０４ｂ）が、ＵＥ１０６から送信されたすべてのメッセージ１４０を受信し得る。このような場合、ＮＥ１０４ｂは、メッセージ１４０の結合および復号を行い、含まれるデータペイロードを取り出すように構成され得る。別のＵＥは、ＰＤＮ１４７および／またはＰＳＴＮ１４８を介してメッセージ１４０を受信し得、メッセージ１４０の結合および復号を行って、含まれるデータペイロードを取り出すように構成され得る。
【００４６】
[0052]一態様において、ネットワークエンティティ１０４ａ〜ｃは、ネットワークエンティティ１０４と同様であり得、ＵＥ１０６をワイヤレスネットワークに接続し得る。一態様においては、ＮＥ１０４ａ〜ｃのうちの１つ以上がＮｏｄｅ  Ｂであり得、無線ネットワークコントローラ１０５ａ〜ｃならびにＳＧＳＮ１４５またはＭＧＷ１４６の少なくとも１つを介してネットワーク１４７，１４８に接続し得る。一態様においてはＮＥ１０４ａ〜１０４ｃのうちの１つ以上がｅＮｏｄｅ  Ｂであり得、ネットワーク１４７、１４８につながるようにＳＧＷ１４５，１４６の少なくとも１つに直接接続し得る。
【００４７】
[0053]ＵＥ１０６は、図３のネットワークエンティティ１０４のコンポーネント３０２，３０３，３０４，３０６と同様のコンポーネント４０２，４０３，４０４，４０６を含み得る。ＵＥ１０６も同様に、変調器４０６が（ＲＦフロントエンド４０４および（１つまたは複数の）アンテナ４０２を介して）複数のキャリアコンポーネントを使用して同時に複数のメッセージを送信できるように、データペイロードについて１つ以上の符号化技法を実行するように処理システム４０３、特にはリソースマネージャ４３３および／またはマルチリンクエンコーダ４３４を使用し得る。
【００４８】
[0054]一態様において、リソースマネージャ４３３は、データペイロードについてコードワードの複数のインスタンスを生成するようにマルチリンクエンコーダ４３４の１つ以上のコンポーネントを制御し得る。さらに、一態様において、リソースマネージャ４３３は、生成されたコードワードを複数のキャリアコンポーネントにわたってインターリーブするようにマルチリンクエンコーダ４３４の１つ以上のコンポーネントも制御し得る。さらに、リソースマネージャ４３３は、生成されたコードワードが、仮想リソースブロック内のそれらのロケーションに基づいて異なるキャリアコンポーネントへとマッピングされるように、利用可能なキャリアコンポーネントの組み合わせを単一の仮想キャリアとして表す仮想リソースブロックを提供するようにマルチリンクエンコーダ４３４の１つ以上の態様も制御し得る。
【００４９】
[0055]図５は、複数のキャリアコンポーネントによる伝送のためのメッセージを生成するための処理システムを含む典型的な送信ワイヤレスデバイスを示すブロック図である。送信機５００は、複数のキャリアコンポーネントを使用して複数のメッセージを送信するワイヤレスデバイスのコンポーネントを示している。一態様において、送信機５００は、ダウンリンクメッセージ１３０をＵＥ１０６へと送信するネットワークエンティティ１０４であり得、別の態様において、送信機５００は、アップリンクメッセージ１４０をネットワークエンティティ１０４へと送信するＵＥであり得る。
【００５０】
[0056]送信機５００は、ワイヤレス通信３０を介して送信されるように処理システム５０３および変調器５０６を介して送られるデータソース５０１を含み得る。一態様において、データソース５０１は、メモリ３３５、４３５に記憶され、処理システム５０３へと送られるデータペイロードであり得、ここで、１つ以上のコードワードにおいて符号化され、変調器５０６を介して１つ以上のメッセージ１３０，１４０として送信され得る。
【００５１】
[0057]処理システム５０３は、リソースマネージャ５３０およびマルチリンクエンコーダ５４０を含む。マルチリンクエンコーダ５４０は、データソース５０１を受信し得、これのコンポーネントのうちの１つ以上は、リソースマネージャ５３０によって制御され、変調器５０６を介して送信されるコードワードの１つ以上のインスタンスを生成し得る。
【００５２】
[0058]マルチリンクエンコーダ５４０のペイロードルータ５４１が、データソース５０１を入力として受信し得、データソース５０１のデータペイロードの一部または全部を前方誤り訂正（ＦＥＣ）エンコーダ５４２ａ〜ｄのうちの１つ以上へとルーティングし得る。一態様において、ペイロードルータ５４１は、データペイロードを別々の部分に分割し、各部分を別々のＦＥＣエンコーダ５４２ａ〜ｄへとルーティングし得る。別の態様において、ペイロードルータ５４１は、ＦＥＣエンコーダ５４２ａ〜５４２ｄのうちの１つ以上へと同一のデータペイロードのコピーを送り得る。リソースマネージャ５３０は、ペイロードルータ５４１が使用するルーティング技法を制御するために、ルーティング制御信号５１１をペイロードルータ５４１へと送信し得る。一態様において、ルーティング制御信号５１１は、ＦＥＣエンコーダ５４２ａ〜ｄによって使用されるマルチコードワードインスタンス化技法に基づき得る。
【００５３】
[0059]ＦＥＣエンコーダ５４２ａ〜ｄは、ペイロードルータ５４１からデータペイロードを受信し得、受信ワイヤレスデバイスによる前方誤り訂正を容易にするための信号処理機能を実行し得る。例えば、ＦＥＣエンコーダ５４２ａ〜ｄの各々は、入力データペイロードに基づいてコードワードを生成するためのコーディングおよびコードワードのインターリービングを含み得る。一態様において、リソースマネージャ５３０は、符号化制御信号５１３を各々のＦＥＣエンコーダへと送信することによって、ＦＥＣエンコーダ５４２ａ〜ｄの符号化および／またはインターリーブ機能を制御することができ、一態様において、符号化制御信号５１３は、複数の符号化制御信号を備え得、各々が別々のＦＥＣエンコーダ５４２ａ〜ｄへと送信され、各々のＦＥＣエンコーダの符号化および／またはインターリーブ機能を独立して制御する。
【００５４】
[0060]一態様において、マルチリンクエンコーダ５４０は、複数のキャリアコンポーネントを介して複数のメッセージにおいて送信される１つ以上のコードワードを生成するためにＦＥＣエンコーダ５４２ａ〜ｄのうちの１つ以上を使用し得る。例えば、マルチリンクエンコーダ５４０は、単一のコードワードインスタンスを生成し、この単一のコードワードインスタンスを複数のキャリアコンポーネントを介してインターリーブする単一のＦＥＣエンコーダ５４２を使用し得る。別の例において、マルチリンクエンコーダ５４０は、複数のコードワードインスタンスを生成するために同一のデータペイロードを符号化するように複数のＦＥＣエンコーダ５４２ａ〜ｄを使用し得る。次いで、ＦＥＣエンコーダ５４２ａ〜ｄは、随意により、複数のコードワードインスタンスを複数のキャリアコンポーネントを介してインターリーブし得る。一態様において、コードワードは、（例えば、リソースマネージャ５３０がリードソロモンアルゴリズムを実行するようにＦＥＣエンコーダ５４２ａ〜ｄのための符号化制御信号を送信するときに）ブロックコードとして生成され得、あるいは（例えば、リソースマネージャ５３０がＦＥＣエンコーダ５４２ａ〜ｄのための符号化制御信号を送信するときに）畳み込みコードとして生成され得る。ビタビアルゴリズムが符号化のために実行される場合、アルゴリズムは、受信機（図示せず）における復号器機能の一部として実行され得る。一態様において、ブロックコードは、１つ以上の畳み込みコードをインターリービングアルゴリズムと組み合わせることによって生成されることができる。
【００５５】
[0061]一態様において、ＦＥＣエンコーダ５４２ａ〜ｄは、入力データペイロードについて１つ以上の符号化およびインターリーブ方式を採用し得る。例えば、ＦＥＣエンコーダ５４２ａ〜ｄは、入力データペイロードから複数のコードワードを生成するために１つ以上のコードワードインスタンス化方式を実行し得る。ＦＥＣエンコーダ５４２ａ〜ｄは、ＦＥＣエンコーダ５４２ａ〜ｄが複数の同一のコードワードインスタンス内の同じコード化ビットの繰り返しを生成し得る反復バージョンモードであり得る。一態様において、ＦＥＣエンコーダ５４２ａ〜ｄは、冗長バージョンモードであり得、ここにおいて、ＦＥＣエンコーダ５４２ａ〜ｄは、複数のコードワードインスタンス内の異なるバージョンのコード化ビットを生成し得、これは、異なるコードワードインスタンスについて異なる冗長情報をもたらし得る。一態様において、任意の非反復バージョンモードが、冗長バージョンモードのタイプであり得る。
【００５６】
[0062]一態様において、ＦＥＣエンコーダ５４２ａ〜ｄは、同じ入力データペイロードについて反復および冗長バージョンモードとの間で切り替わり得る。例えば、ＦＥＣエンコーダ５４２ａ〜ｄは、反復バージョンモードの下でコードワードインスタンスの複数の同一バージョンを生成し、次いで、冗長バージョンモードにおいて、単一のデータペイロードからコードワードの複数のバージョンを生成するように、コードワードインスタンスの各々について異なる符号化方法を使用し得る。同様に、ＦＥＣエンコーダ５４２ａ〜ｄは、最初に冗長バージョンモードにおいて単一のデータペイロードから複数の異なるコードワードを生成し、次いで反復モードにおいて、反復モードで生成された異なるコードワードの各々の複数の同一バージョンを生成し得る。
【００５７】
[0063]一態様において、ＦＥＣエンコーダ５４２ａ〜ｄはまた、入力データペイロードから生成されたコードワードについてクロスキャリアインターリーブ方式も実行し得る。キャリアコンポーネントバッファ５４６に関して以下でさらに詳しく説明されるように、リソースマネージャ５３０は、複数のキャリアコンポーネントの各々のアドレスロケーションを決定し得、かつ／あるいは知り得る。次いで、リソースマネージャ５３０は、各々のコードワードインスタンスが複数のキャリアにわたってインターリーブされるように、ＦＥＣエンコーダ５４２ａ〜ｄを制御し得る。例えば、リソースマネージャ５３０は、コードワードインスタンスの一部が送信機５００によって使用されるサブキャリア周波数範囲（例えば、キャリア２１１〜２１３、２６１〜２６３）の間でインターリーブされるように、ＦＥＣエンコーダ５４２ａ〜ｄを制御し得る。例えば、ＦＥＣエンコーダ５４２ａ〜ｄは、コードワードインスタンスを１つ以上のインターリーブフレームに配置するために、符号化制御信号５１３を受信し得る。次いで、ＦＥＣエンコーダ５４２ａ〜ｄは、インターリーブブロックを異なるキャリアコンポーネントを使用して送信される１つ以上のフレームへとマッピングし得る。
【００５８】
[0064]一態様においては、各々の信号コンステレーションマッパ（ＳＣＭ：signal constellation mapper）５４３ａ〜ｄが、それぞれのＦＥＣエンコーダ５４２ａ〜ｄからコードワードインスタンスおよび／またはインターリーブフレームを受信し得、入力コードワードまたはフレームを変調方式に基づいて信号コンステレーションへとマッピングし得る。ＳＣＭ５４３ａ〜ｄは、例えば二位相偏移変調（ＢＰＳＫ）、四位相偏移変調（ＱＰＳＫ）、多値位相偏移変調（Ｍ−ＰＳＫ）、または多値直交振幅変調（Ｍ−ＱＡＭ）を使用し得る。一態様において、ＳＣＭ５４３ａ〜ｄは、コード化および変調シンボルを並列ストリームに分割し得、ストリームをＯＦＤＭ変調器５４４ａ〜ｄへと送り得る。
【００５９】
[0065]各々の直交周波数分割多重（ＯＦＤＭ）変調器５４４ａ〜ｄが、それぞれのＳＣＭ５４３ａ〜ｄからストリームを受け取り得、ストリームをＯＦＤＭサブキャリアへとマッピングし、ストリームを時間および／または周波数ドメインにおいて基準信号（例えば、パイロット）と多重化し、次いで時間ドメインＯＦＤＭシンボルストリームを運ぶ物理チャネルを生成するように逆高速フーリエ変換（ＩＦＦＴ）を使用してストリームを結合させ得る。
【００６０】
[0066]各々の空間プロセッサ５３５ａ〜ｄが、それぞれのＯＦＤＭ変調器５４４ａ〜ｄからＯＦＤＭストリームを受け取り得、複数の空間ストリームを生成するためにＯＦＤＭストリームを空間的にプリコーディングし得る。一態様においては、変調およびコーディング方式（ＣＭＳ）の決定ならびに空間処理のために、チャネル推定が使用され得る。チャネル推定は、送信機５００によって受信された基準信号および／またはチャネル状態フィードバックから導出され得る。
【００６１】
[0067]一態様においては、キャリアコンポーネントバッファ５４６が、空間的にプリコーディングされたＯＦＤＭストリームを受け取り得、それらを変調器５０６内の別個の送信機５６１ａ〜ｃへともたらし得る。一態様において、キャリアコンポーネントバッファ５４６は、複数のキャリアコンポーネントのアグリゲートされた帯域幅を表す仮想リソースブロック（ＲＢ）または仮想リソース要素グループ（ＲＥＧ）によって表される仮想キャリア空間などの論理キャリアを含み得る。一態様において、仮想ＲＢは、複数のキャリアコンポーネントを同等のアグリゲートされた帯域幅を有する単一の「仮想」または論理キャリアとして表現する。以下でさらに詳細に説明されるように、空間プロセッサ５４５ａ〜ｄからの空間的にプリコーディングされたＯＦＤＭストリームは、キャリアコンポーネントバッファ５４６内の仮想ＲＢの異なる部分へとマッピングされ得る。一態様において、キャリアコンポーネントバッファ５４６は、仮想ＲＢの異なる部分を異なるキャリアコンポーネントへとマッピングし得る。例えば、３つのキャリアコンポーネントの場合、キャリアコンポーネントバッファ５４６は、仮想ＲＢを少なくとも３つの部分に分割し、各々が変調器５０６内の異なる送信機５６１ａ〜ｃへと提供される３つの異なる空間ストリームをもたらし得る。
【００６２】
[0068]一態様において、リソースマネージャ５３０は、論理書き込み信号５１５を介してキャリアコンポーネントバッファ５４６を制御し得る。例えば、リソースマネージャ５３０は、仮想ＲＢを変更するために、１つ以上の論理書き込み信号５１５をキャリアコンポーネントバッファ５４６へと送信し得る。一態様において、リソースマネージャ５３０は、仮想ＲＢの内容がメモリ３３５、４３５に書き込まれる前に、複数の論理書き込みをトリガすることができる。リソースマネージャ５３０は、仮想ＲＢの内容を取り出すために、物理的読み取り５１７を介してキャリアコンポーネントバッファ５４６の内容を決定し得る。このような場合、リソースマネージャ５３０は、例えば仮想ＲＢのどの部分が満たされており、どの部分が空いている（free）かを決定することができ、リソースマネージャ５３０はまた、物理的読み取り５１７に基づいて、仮想ＲＢのどの部分を変調器５０６内の１つ以上の送信機５６１ａ〜ｃに送信するかを決定し得る。
【００６３】
[0069]変調器５０６内の各々の送信機５６１ａ〜ｃは、キャリアコンポーネントバッファ５４６から空間ストリームを受け取り得、送信のためにそれぞれの空間ストリームでＲＦキャリアを変調し得る。例えば、各々の送信機５６１ａ〜ｃは、キャリアコンポーネントバッファ５４６を介して処理システム５０３から空間ストリームを受信し得、このストリームを送信するためにコンポーネントキャリアを変調し得る。一態様において、送信機５６１ａ〜ｃの各々は、送信機５００によって使用されるキャリアコンポーネントのうちの１つを使用して同時に空間ストリームを送信し得る。
【００６４】
[0070]一態様においては、受信機が、送信機５００によって使用される変調および／または符号化方式を決定し得る。例えば、受信機は、送信機５６１がシングルキャリアモードを使用しているか、あるいはマルチキャリアモードを使用しているか、処理システム５０３がコードワードの生成において反復および／または冗長モードを使用したか、ならびに処理システムがクロスキャリアインターリービングを使用したか、など、符号化および伝送特性を示すメッセージ（例えば、制御メッセージおよび／またはシグナリングメッセージ）を受信し得る。一態様において、受信機はまた、受信したメッセージに基づいて符号化および伝送特性を推定し得る。一態様において、受信機は、データペイロードを取り出すために、受信されたメッセージを結合し、コードワードインスタンスを復号するように符号化および伝送特性を使用し得る。
【００６５】
[0071]図６が、複数のキャリアコンポーネントによる伝送のためのコードワードを生成する送信ワイヤレスデバイスの一例を示す概念図である。図６００は、例えば送信機５００の処理システム５０３によるデータペイロード６０１の符号化、ならびにキャリアコンポーネント６６０ａ〜ｃに関連する物理リソースブロックへと割り当てられる前のコードワードインスタンス６１１ａ〜ｃの仮想リソースブロック（ＲＢ）６４６における割り当てを示している。
【００６６】
[0072]ペイロードルータ６４１は、送信機５００のペイロードルータ５４１と同様であり得、データペイロード６０１を受け取り得る。ペイロードルータ６４１は、データペイロード６０１のコピーを各々のＦＥＣエンコーダ６４２ａ〜ｃへと送り得る。一態様において、ＦＥＣエンコーダ６４２ａ〜ｃは、ＦＥＣエンコーダ５４２ａ〜ｄと同様であり得、ペイロードルータ６４１から同じデータペイロード６０１の同一のコピーまたはデータペイロード６０１の異なる部分のいずれかを受け取り得る。
【００６７】
[0073]一態様において、各々のＦＥＣエンコーダ６４２ａ〜ｃは、到来する（incoming）データペイロード６０１を反復および／または冗長技法の組み合わせによって符号化し得る。例えば、ＦＥＣエンコーダ６４２ａは、コードワードインスタンス６１１ａを生成するように、最初にデータペイロード６０１を冗長モードで符号化し、次いで得られたコードワードを反復モードで符号化し得る。ＦＥＣエンコーダ６４２ｂは、コードワードインスタンス６１１ｂを生成するようにデータペイロード６０１を冗長モードのみで同様に符号化し得る。ＦＥＣエンコーダ６４２ｃは、コードワードインスタンス６１１ｃを生成するように、最初にデータペイロード６０１を反復モードで符号化し、次いで得られたコードワードを反復モードで符号化し得る。一態様においては、ＦＥＣエンコーダ６４２ａ〜ｃのうちの１つ以上が、生成されたコードワード６１１ａ〜ｃを複数のキャリアコンポーネント６６０ａ〜ｃにわたってインターリーブし得る。一態様においては、ＦＥＣエンコーダ６４２ａ〜ｃのうちの１つ以上が、データペイロードを符号化することなく複数のキャリアコンポーネントにわたってデータペイロードをインターリーブし得る。一態様においては、各々のＦＥＣエンコーダ６４２ａ〜ｃが、コードワードインスタンス６１１ａ〜ｃを送信機５００のキャリアコンポーネントバッファ５４６内の仮想リソースブロック（ＲＢ）６４６の各部分へと（ＳＣＭ５４３ａ〜ｃ、ＯＦＤＭ変調器５４４ａ〜ｃ、および空間プロセッサ５４５ａ〜ｃを介して）送り得る。
【００６８】
[0074]一態様において、仮想ＲＢ６４６は、組み合わせられたすべてのキャリアコンポーネント６６０ａ〜ｃのアグリゲートされた帯域幅に等しい（一連のリソースブロックグループに基づく）仮想帯域幅を有し得、例えば３つのキャリアコンポーネント６６０ａ〜ｃの各々が１つのＲＢＧに等しい帯域幅を有する場合、仮想ＲＢ６４６は３つのＲＢＧに等しい帯域幅を有し得る。一態様において、仮想ＲＢ６４６は、制御コンポーネント（例えば、リソースマネージャ５３０）が特定のＲＢリソースを表すためにより少ないビットを使用することができるため、仮想ＲＢ６４６は、リソース表現におけるオーバーヘッドを低減し得る。例えば、リソース割り当てタイプ０の場合、仮想ＲＢ６４６は、より大きい全体としてのグループサイズを可能にし、したがって、より大きなリソースブロックグループサイズが送信されることを可能にする。同様に、リソース割り当てタイプ２の場合、仮想ＲＢ６４６は、より少ないビットですべてのユーザのための割り当てを表すことを可能にする。
【００６９】
[0075]一態様においては、コードワードインスタンス６１１ａ〜ｃは、仮想ＲＢ６４６へと連続的に書き込まれることができる。別の態様においては、コードワードインスタンス６１１ａ〜ｃを、仮想ＲＢ６４６の異なる非連続な部分へ書き込むことができる。例えば、コードワードインスタンス６１１ａ〜ｃを、仮想ＲＢ６４６の非連続な仮想ＲＢセクション６４７ａ〜ｃに記憶することができる。一態様において、ＦＥＣエンコーダ６４２ａ〜ｃは、コードワードインスタンスを仮想ＲＢ６４６の複数のセクションへ書き込むことができ、例えば、ＦＥＣエンコーダ６４２ｃは、コードワードインスタンス６１１ｃの一部分を仮想ＲＢセクション６４７ａ〜ｄの各々へ書き込み得る。
【００７０】
[0076]一態様において、仮想ＲＢ６４６は、制御サーチ空間およびデータ割り当てなどの指定された目的のための特定のリソース空間を予約および／または指示することもできる。例えば、処理システム５０３のリソースマネージャ５３０は、キャリアコンポーネント６６０ａ〜ｃを介した制御シグナリングのために、仮想ＲＢ６４６内の指定されたＲＢ指示を使用して複数のキャリアコンポーネント６６０ａ〜ｃによるマルチリンクシグナリングを可能にし得る。一態様においては、例えば、仮想ＲＢ６４６の一部は、コンポーネントキャリアの物理帯域幅に割り当てられた指定された物理チャネルを使用して送信される特定のビットとして割り当てられることができる。
【００７１】
[0077]一態様においては、仮想ＲＢ６４６のリソースは、同じ関係する部分内のすべてのリソースが、各々のキャリアコンポーネント６６０ａ〜ｃ内にあるように鏡映しにされる（be mirrored）ことができる。一態様において、鏡映しにされたＲＢ割り当てタイプは、仮想ＲＢ６４６に反映され得、仮想ＲＢ６４６の特定のＲＢセクション６４７ａ〜ｄが、リソースマネージャ５３０によって、キャリアコンポーネント６６０ａ〜ｃの物理リソースブロックの指定された部分（例えば、１つ以上のＲＢＧ）へとマッピングされる。
【００７２】
[0078]一態様において、リソースマネージャ５３０は、キャリアコンポーネント６６０ａ〜ｃの物理ＲＢセクション６６７ａ〜ｄへの仮想ＲＢセクション６４７ａ〜ｄの割り当てを制御し得る。例えば、リソースマネージャ５３０は、仮想ＲＢセクション６４７ａに論理的に記憶されたデータを、キャリアコンポーネント６６０ｂに関連付けられた物理ＲＢ内の物理ＲＢセクション６６７ｂに物理的に割り当て得る。同様に、仮想ＲＢセクション６４７ｂも、キャリアコンポーネント６６０ｂに関連付けられた物理ＲＢ内の物理ＲＢセクション６６７ｃに割り当てられる。一態様において、他の仮想ＲＢセクションは、キャリアコンポーネント６６０ａ〜ｃの各セクションに割り当てられ得る（例えば、仮想ＲＢセクション６４７ｃが物理ＲＢセクション６６７ａに割り当てられ、仮想ＲＢセクション６４７ｄが物理ＲＢセクション６６７ｄに割り当てられる）。一態様において、キャリアコンポーネント６６０ａ〜ｃは、物理ＲＢセクション６６７ａ〜ｄを含むそれぞれの物理リソースブロックの内容を同時に送信し得る。
【００７３】
[0079]一態様において、リソースマネージャ５３０は、複数のキャリアコンポーネントを介して伝送されるデータを分割する前の共通ソースコンポーネント（例えば、ＦＥＣエンコーダ５４２ａ〜ｄ、６４２ａ〜ｄ、仮想ＲＢ６４６）の使用により、複数のキャリアコンポーネントのためのデータペイロードの符号化およびインターリーブのジョイント処理および最適化における柔軟性を可能にし得る。一態様において、リソースマネージャ５３０は、ソースデータペイロードを（キャリアアグリゲーションなどの方法を使用して）同時に送信する複数のキャリアコンポーネントへとコードワードインスタンスを分配する（spread）ために符号化およびインターリーブ技法を使用することにより、複数のキャリアコンポーネントを使用して速度および信頼度を増加させることができる。
【００７４】
[0080]添付の付録は、本開示の一部を形成する追加の説明を含む。
【００７５】
[0081]本開示の種々の態様は、本発明の実施を当業者にとって可能にするように提供されている。本開示の全体を通して提示した典型的な実施形態に対する種々の変更が、当業者にとって容易に明らかであると考えられ、本明細書に開示した概念は、他の磁気記憶デバイスにも拡張され得る。したがって、特許請求の範囲は、本開示の種々の態様に限定されることを意図されるものではなく、特許請求の範囲の文言に矛盾しない全範囲が与えられるべきである。本開示の全体を通して説明した典型的な実施形態の種々のコンポーネントについて、当業者にとって公知であり、あるいは後に知られることになるすべての構造的および機能的な同等物は、ここでの参照によって本明細書に明示的に組み込まれ、特許請求の範囲によって包含されるように意図される。さらに、本明細書に開示の何ものも、このような開示が特許請求の範囲に明示的に記載されるか否かにかかわらず、公衆に開放されるようには意図されていない。請求項のいかなる要素も、この要素が「・・・するための手段(means for)」という表現を使用して明示的に記載され、あるいは方法の請求項の場合において「・・・するためのステップ(step for)」という表現を使用して記載されない限り、米国特許法第１１２条（ｆ）の規定のもとで解釈されるべきではない。
以下に、本願の出願当初の特許請求の範囲に記載された発明を付記する。
［Ｃ１］
複数のキャリアコンポーネントを備えるキャリアアグリゲーションを使用するワイヤレス通信のための装置であって、
ペイロードからコードワードの１つ以上のインスタンスを生成するように構成されたプロセッサと、
伝送のために前記複数のキャリアコンポーネントへと前記コードワードの前記１つ以上のインスタンスを変調するように構成された変調器と、
を備える装置。
［Ｃ２］
前記コードワードの前記１つ以上のインスタンスは、前記コードワードの複数のインスタンスを備え、前記変調器は、前記コードワードの前記複数のインスタンスの各々を前記複数のキャリアコンポーネントのうちの異なるキャリアコンポーネントへと変調するようにさらに構成されている、Ｃ１に記載の装置。
［Ｃ３］
前記プロセッサは、前記コードワードの前記インスタンスのうちの少なくとも１つを前記複数のキャリアコンポーネントにわたってインターリーブするようにさらに構成され、前記変調器は、前記プロセッサによる前記インターリーブすることに従って前記コードワードの前記インスタンスのうちの前記少なくとも１つを前記複数のキャリアコンポーネントへと変調するようにさらに構成されている、Ｃ１に記載の装置。
［Ｃ４］
前記コードワードの前記１つ以上のインスタンスは、前記コードワードの複数の同一のインスタンスを備える、Ｃ１に記載の装置。
［Ｃ５］
前記コードワードの前記１つ以上のインスタンスは、前記コードワードの複数のインスタンスを備え、前記コードワードの前記複数のインスタンスの各々は、前記ペイロードに関する異なる冗長情報を備えている、Ｃ１に記載の装置。
［Ｃ６］
前記複数のキャリアコンポーネントのアグリゲートされた帯域幅に相当する連続的な帯域幅を有する論理キャリアを備える仮想キャリア空間を前記プロセッサに提供するように構成されたリソースマネージャをさらに備える、Ｃ１に記載の装置。
［Ｃ７］
前記プロセッサは、前記コードワードの前記１つ以上のインスタンスを前記論理キャリアへとマッピングするようにさらに構成されている、Ｃ６に記載の装置。
［Ｃ８］
前記リソースマネージャは、前記コードワードの前記１つ以上のインスタンスを前記論理キャリアから前記複数のキャリアコンポーネントへとマッピングするようにさらに構成され、前記変調器は、前記マッピングすることに従って前記コードワードの前記１つ以上のインスタンスを前記複数のキャリアコンポーネントへと変調するようにさらに構成されている、Ｃ７に記載の装置。
［Ｃ９］
複数のキャリアコンポーネントを備えるキャリアアグリゲーションを使用するワイヤレス通信のための装置であって、
ペイロードからコードワードの１つ以上のインスタンスを生成するように構成されたプロセッサと、
前記複数のキャリアコンポーネントのアグリゲートされた帯域幅に相当する連続的な帯域幅を有する論理キャリアを備える仮想キャリア空間を前記プロセッサに提供するように構成されたリソースマネージャと、
を備えており、
ここにおいて、前記プロセッサは、前記コードワードの前記１つ以上のインスタンスを前記論理キャリアへとマッピングするようにさらに構成されている、
装置。
［Ｃ１０］
前記リソースマネージャは、伝送のために前記コードワードの前記１つ以上のインスタンスを前記論理キャリアから前記複数のキャリアコンポーネントへとマッピングするようにさらに構成されている、Ｃ９に記載の装置。
［Ｃ１１］
前記リソースマネージャによる前記マッピングすることに従って前記コードワードの前記１つ以上のインスタンスを前記複数のキャリアコンポーネントへと変調するように構成された変調器をさらに備える、Ｃ１０に記載の装置。
［Ｃ１２］
前記コードワードの前記１つ以上のインスタンスは、前記コードワードの複数のインスタンスを備え、前記リソースマネージャは、前記コードワードの前記複数のインスタンスの各々を前記複数のキャリアコンポーネントのうちの異なるキャリアコンポーネントへとマッピングするようにさらに構成されている、Ｃ１０に記載の装置。
［Ｃ１３］
前記プロセッサは、前記コードワードの前記インスタンスのうちの少なくとも１つを前記複数のキャリアコンポーネントにわたってインターリーブするようにさらに構成され、前記リソースマネージャは、前記プロセッサによる前記インターリーブすることに従って前記コードワードの前記少なくとも１つのインスタンスの各々を前記複数のキャリアコンポーネントへとマッピングするようにさらに構成されている、Ｃ１０に記載の装置。
［Ｃ１４］
前記コードワードの前記１つ以上のインスタンスは、前記コードワードの複数のインスタンスを備え、前記コードワードの前記複数のインスタンスの各々は、同一である、Ｃ９に記載の装置。
［Ｃ１５］
前記コードワードの前記１つ以上のインスタンスは、前記コードワードの複数のインスタンスを備え、前記コードワードの前記複数のインスタンスの各々は、前記ペイロードに関する異なる冗長情報を備えている、Ｃ９に記載の装置。
［Ｃ１６］
コードを備えている非一時的なコンピュータ可読媒体であって、前記コードは、少なくとも１つのプロセッサによって実行されたときに、
ペイロードからコードワードの１つ以上のインスタンスを生成することと、
伝送のために前記複数のキャリアコンポーネントへと前記コードワードの前記１つ以上のインスタンスを変調することと
を前記少なくとも１つのプロセッサに実行させる、コンピュータ可読媒体。
［Ｃ１７］
前記コードワードの前記１つ以上のインスタンスは、前記コードワードの複数のインスタンスを備え、
前記コードは、前記コードワードの前記複数のインスタンスの各々を前記複数のキャリアコンポーネントのうちの異なるキャリアコンポーネントへと変調することを、前記少なくとも１つのプロセッサにさらに実行させる、
Ｃ１６に記載のコンピュータ可読媒体。
［Ｃ１８］
前記コードワードの前記インスタンスのうちの少なくとも１つを前記複数のキャリアコンポーネントにわたってインターリーブすることと、
前記インターリーブすることに従って前記コードワードの前記インスタンスのうちの前記少なくとも１つを前記複数のキャリアコンポーネントへと変調することと
を前記少なくとも１つのプロセッサに実行させるコードをさらに備える、Ｃ１６に記載のコンピュータ可読媒体。
［Ｃ１９］
前記コードワードの前記１つ以上のインスタンスは、前記コードワードの複数の同一のインスタンスを備える、Ｃ１６に記載のコンピュータ可読媒体。
［Ｃ２０］
前記コードワードの前記１つ以上のインスタンスは、前記コードワードの複数のインスタンスを備え、前記コードワードの前記複数のインスタンスの各々は、前記ペイロードに関する異なる冗長情報を備えている、Ｃ１６に記載のコンピュータ可読媒体。
［Ｃ２１］
前記複数のキャリアコンポーネントのアグリゲートされた帯域幅に相当する連続的な帯域幅を有する論理キャリアを備える仮想キャリア空間を提供することを前記少なくとも１つのプロセッサに実行させるコードをさらに備える、Ｃ１６に記載のコンピュータ可読媒体。
［Ｃ２２］
前記コードワードの前記１つ以上のインスタンスを前記論理キャリアへとマッピングすることを前記少なくとも１つのプロセッサに実行させるコードをさらに備える、Ｃ１６に記載のコンピュータ可読媒体。
［Ｃ２３］
前記コードワードの前記１つ以上のインスタンスを前記論理キャリアから前記複数のキャリアコンポーネントへとマッピングすることを前記少なくとも１つのプロセッサに実行させるコードをさらに備え、前記変調器は、前記マッピングに従って前記コードワードの前記１つ以上のインスタンスを前記複数のキャリアコンポーネントへと変調するようにさらに構成されている、Ｃ２２に記載のコンピュータ可読媒体。
【図１】
0006805241.tif 000002
【図２Ａ】
0006805241.tif 000003
【図２Ｂ】
0006805241.tif 000004
【図３】
0006805241.tif 000005
【図４】
0006805241.tif 000006
【図５】
0006805241.tif 000007
【図６】
0006805241.tif 000008